(57)【要約】【課題】射出成形の精度を害することなく、かつコストの上昇を最低限に抑えながら、空き部屋に栓をする作業の負担を軽減できるワイヤシールを提供することを目的とする。【解決手段】コンタクトが収容される複数のコンタクト収容キャビティ１１ａ，１１ｂが形成されるインナーハウジング１０に装着され、コンタクト収容キャビティ１１ａ，１１ｂに対応する位置に形成されるコンタクト挿入孔３１ａ，３１ｂを貫通してコンタクト収容キャビティ１１ａ，１１ｂ内にコンタクトが挿入されると、コンタクトに接続された電線がコンタクト挿入孔３１ａ，３１ｂの内周縁に密着されることでシールするワイヤシール３０であって、コンタクトが挿入されずに空き部屋となるキャビティの全部又は一部に対応する領域Ａ，Ｂが閉塞されている。【選択図】図１
2011129391.tif 000002
【特許請求の範囲】
【請求項１】
コンタクトが収容される複数のキャビティが形成されるコネクタハウジングに装着され、
前記キャビティに対応する位置に形成される複数のコンタクト挿入孔を貫通して前記キャビティ内に前記コンタクトが挿入されると、前記コンタクトに接続される電線が前記コンタクト挿入孔の内周縁に密着されることでシールするワイヤシールであって、
前記コンタクトが挿入されずに空き部屋となる前記キャビティの全部又は一部に対応する位置が閉塞されていることを特徴とするワイヤシール。
【請求項２】
コンタクトが収容される複数のキャビティが形成されるコネクタハウジングに装着され、
前記キャビティに対応する位置に形成される複数のコンタクト挿入孔を貫通して前記キャビティ内に前記コンタクトが挿入されると、前記コンタクトに接続された電線が前記コンタクト挿入孔の内周縁に密着されることでシールするワイヤシールの製造方法であって、
前記コンタクトが挿入される前記キャビティの情報及び前記コンタクトが挿入されずに空き部屋となる前記キャビティの情報に基づいて、前記キャビティに対応してコンタクト挿入孔を形成する孔形成位置と、前記キャビティに対応するが閉塞する閉塞位置とを判別する工程（ａ）と、
前記判別の結果に基づいて、前記閉塞位置に前記コンタクト挿入孔を形成することなく、前記孔形成位置には前記コンタクト挿入孔を形成する工程（ｂ）と、
を備えることを特徴とするワイヤシールの製造方法。
【請求項３】
コンタクトが収容される複数のキャビティが形成されるコネクタハウジングと、
前記各キャビティに対応する位置に形成される複数のコンタクト挿入孔を貫通して前記キャビティ内に前記コンタクトが挿入されると、前記コンタクトに接続された電線が前記コンタクト挿入孔の内周縁に密着されることでシールするワイヤシールと、を備え、
前記ワイヤシールは、前記コンタクトが挿入されずに空き部屋となる前記キャビティの全部又は一部に対応する位置が閉塞されていることを特徴とする防水コネクタ。
【請求項４】
前記ワイヤシールは、
前記コンタクトが挿入されずに空き部屋となる前記キャビティに対応する位置に前記コンタクト挿入孔が形成され、
当該コンタクト挿入孔がダミー栓で閉塞される請求項３に記載の防水コネクタ。
【請求項５】
複数の前記コンタクト挿入孔が形成される領域と、複数の前記キャビティに対応して閉塞されている領域とが、区画されている請求項３又は４に記載の防水コネクタ。
【発明の詳細な説明】
【技術分野】
【０００１】
本発明は、防水コネクタに装着されるワイヤシール、この製造方法及びこのワイヤシールを用いた防水コネクタに関する。
【背景技術】
【０００２】
防水コネクタは、外部から水等の侵入を阻止するために、コネクタハウジング内にワイヤシール、あるいは一括ゴム栓と称される部材を設けているものが知られている。このワイヤシールは、コネクタのハウジングにおける複数のキャビティの夫々に対応する位置にコンタクト挿入孔を設けており、コンタクトがこのコンタクト挿入孔を通ってキャビティに挿入されると、コンタクト挿入孔の内周縁にコンタクトに接続される電線が密着することで防水性が確保される。ところが、防水コネクタが接続される回路基板には複数の仕様が存在することがある。コネクタに形成されるキャビティは、回路基板の仕様の中でコンタクトが最も多く必要な場合に対応してその数が決定される。そのために、接続される回路基板によっては、キャビティの全てにコンタクトが挿入されるとは限らない。この場合には、防水性を確保するために、コンタクトが挿入されないキャビティである空き部屋に対応するコンタクト挿入孔は、ダミー栓と呼ばれる栓を挿入して閉塞される。ところが、空き部屋の数が多くなるとダミー栓の挿入に手間が掛かり、作業効率が悪いという問題があった。
【０００３】
この問題に対して、空き部屋に対応する位置にダミー栓が一体的に形成されるダミー栓一体型のカバーを装着することが行われている。ダミー栓一体型カバーは、空き部屋にダミー栓を一つずつ挿入するのに比べると格段に作業効率は改善される。また、特許文献１、特許文献２には、改良されたダミー栓一体型カバーが開示されている。このカバーは、ワイヤシールの全てのコンタクト挿入孔に個別に嵌合可能なダミー栓が突設されている。各ダミー栓は薄肉部を介して形成されているため、コンタクトが挿入されるキャビティに対応するダミー栓を治具で打ち抜くことで、コンタクトの挿通孔を形成するようにしている。
【先行技術文献】
【特許文献】
【０００４】
【特許文献１】特許第３１７４２６１号公報
【特許文献２】特開２００６−３２４１６１号公報
【発明の概要】
【発明が解決しようとする課題】
【０００５】
ところが、いずれのダミー栓一体型カバーにおいても、ダミー栓を精度よくカバーに一体的に射出成形で得るのは容易でない。特に、サイズが大きく、極数の多いコネクタにおいては、ダミー栓の精度が不十分となり、ワイヤシールのコンタクト挿入孔に位置ずれを起こしてダミー栓が挿入されないおそれが大きい。また、ダミー栓一体型カバーを一体成形するための金型を作製するコストが高く、しかもダミー栓を精度よく形成できない不安要素があるため、ダミー栓一体型カバーを採用するには障害がある。また、特許文献１、特許文献２のダミー栓一体型カバーは、複数の空き部屋に対応するダミー栓を同時に打ち抜くのに相当の負荷が必要であるから、治具に位置ずれを生じさせることなく打ち抜き作業を行うには熟練した作業者が必要である。さらに、特許文献１、特許文献２のダミー栓一体型カバーは、打ち抜かれたダミー栓が廃却処分される無駄が生じる。
本発明は、このような問題を解決し、射出成形の精度を害することなく、かつコストの上昇を最低限に抑えながら、空き部屋に栓をする作業の負担を軽減できるワイヤシールを提供することを目的とする。また本発明の他の目的は、そのようなワイヤシールを製造する方法を提供することである。さらに本発明の他の目的は、そのようなワイヤシールを用いた防水コネクタを提供することである。
【課題を解決するための手段】
【０００６】
従来のダミー一体型カバーは、つまりコネクタハウジング側にダミー栓を設けることで、ワイヤシールにダミー栓を挿入する作業負担を軽減することを志向していた。これに対して本発明者等は発想を転換した。つまり、コネクタハウジングの全てのキャビティに対応してワイヤシールにコンタクト挿入孔を設けていたのに対し、空き部屋となるキャビティに対応する位置を閉塞することを着想するに至った。
この着想に基づく本発明のワイヤシールは、コンタクトが収容される複数のキャビティが形成されるコネクタハウジングに装着され、キャビティに対応する位置に形成されるコンタクト挿入孔を貫通してキャビティ内にコンタクトが挿入されると、コンタクトに接続される電線がコンタクト挿入孔の内周縁に密着されることでシールするワイヤシールであって、コンタクトが挿入されずに空き部屋となるキャビティの全部又は一部に対応する位置が閉塞されていることを特徴とする。
【０００７】
防水コネクタの仕様が定まれば、空き部屋となるキャビティは明らかとなる。したがって、コンタクトが挿入されるキャビティの情報及びコンタクトが挿入されずに空き部屋となるキャビティの情報に基づいて、キャビティに対応してコンタクト挿入孔を形成する孔形成位置と、キャビティに対応するが閉塞する閉塞位置とを判別する工程（ａ）と、この判別の結果に基づいて、閉塞位置はコンタクト挿入孔を形成することなく、孔形成位置にはコンタクト挿入孔を形成する工程（ｂ）と、を備えることにより、上記本発明のワイヤシールを製造できる。
【０００８】
本発明は、コンタクトが収容される複数のキャビティが形成されるコネクタハウジングと、キャビティに対応する位置に形成される複数のコンタクト挿入孔を貫通してキャビティ内にコンタクトが挿入されると、コンタクトに接続された電線がコンタクト挿入孔の内周縁に密着されることでシールするワイヤシールと、を備え、ワイヤシールは、コンタクトが挿入されずに空き部屋となるキャビティの全部又は一部に対応する位置が閉塞されている防水コネクタをも提供する。
【０００９】
ところで、同じ防水コネクタであっても空き部屋になるキャビティの数、位置は回路基板の仕様によって変わり得る。例えば、同じ車種の自動車に用いられる防水コネクタでさえ、その自動車の電装装備品の違いにより、空き部屋になるキャビティの数、位置が相違することがある。その仕様に応じて閉塞する数、位置が特定されるワイヤシールを個別に用意することは、ダミー栓挿入作業を皆無にできる点では理想的ではあるが、同じコネクタに対してキャビティの数、位置の異なるワイヤシールを相当種類用意する必要があり、コスト面から許容できないこともある。そこで、本発明に係るワイヤシールは、コンタクトが挿入されずに空き部屋となるキャビティに対応する位置にコンタクト挿入孔が形成されることを許容する。そうすれば、空き部屋となるキャビティの全部又は一部に対応する位置が閉塞されているワイヤシールを用意する種類を抑えることができる。この場合、当該コンタクト挿入孔はダミー栓で閉塞される。
【００１０】
また本発明者らは、空き部屋となるキャビティの数、位置の異なる同種のコネクタを観察したところ、空き部屋となるキャビティは分散して設けられるのではなく、所定の領域に集合していることがほとんどであることを知見した。換言すると、使用されるキャビティが設けられる領域と、空き部屋となるキャビティが設けられる領域とをほぼ区画できる。そこで本発明のワイヤシールは、複数のコンタクト挿入孔が形成される領域と、複数のキャビティに対応して閉塞されている領域とを、区画して設けることを提案する。
【発明の効果】
【００１１】
本発明のワイヤシールは、コンタクトが挿入されない一つまたは複数のキャビティに対応する位置が閉塞されているものである。つまり、本発明のワイヤシールはコンタクト挿入孔を設ける数を減らすことで作製できるので、射出成形の精度にほとんど影響を与えない。また、本発明のワイヤシールにおいても、すべてのキャビティに対応する位置にコンタクト挿入孔が形成されるものの他に、射出成形用の金型が必要であるが、ハウジング側にダミー栓を形成するのに比べて軽微な変更で足りる。したがって、金型にかかるコストはダミー栓一体型カバーに比べて低い。また、回路基板の仕様によっては、本発明のワイヤシールを用いてもダミー栓をコンタクト挿入孔に挿入する作業が必要であるが、閉塞されている部分にはダミー栓を挿入することはないので、作業の負担を確実に軽減できる。
【図面の簡単な説明】
【００１２】
【図１】本実施の形態における防水コネクタの分解斜視図である。
【図２】本実施の形態における防水コネクタが組立てられた状態を示す斜視図である。
【図３】本実施の形態におけるワイヤシールを示す斜視図である。
【図４】本実施の形態におけるワイヤシールに電線が挿入された状態を示す断面図である。
【図５】インナーハウジングの空き部屋とワイヤシールの閉塞位置が一対一で対応する例を示す平面図である。
【図６】インナーハウジングの空き部屋に対応する位置にコンタクト挿入孔が形成される例を示す平面図である。
【図７】防水コネクタ製造のために用意される閉塞部分が相違するワイヤシールを示す平面図である。
【発明を実施するための形態】
【００１３】
以下、図面を参照しながら本発明を実施の形態に基づいて説明する。
図１〜図４に示す防水コネクタ１は、インナーハウジング１０と、ワイヤシール３０と、アウターハウジング５０とを備えている。
【００１４】
＜インナーハウジング１０＞
本発明のハウジングに該当するインナーハウジング１０は、幅方向（図１のｘ方向）、上下方向（図１のｙ方向）及び前後方向（図１のｚ方向）に延びる略直方体形状に形成されている。
インナーハウジング１０には、電力用コンタクト（図示略）を収容するための、複数のコンタクト収容キャビティ１１ａ及び信号用コンタクト（図示略）を収容するための、複数のコンタクト収容キャビティ１１ｂが設けられている。図示を省略しているが、前後方向に貫通する各コンタクト収容キャビティ１１ａには、電力用コンタクトを一次的に係止するためのハウジングランスが設けられ、各コンタクト収容キャビティ１１ｂには、信号用コンタクトを一次的に係止するためのハウジングランスが設けられている。
インナーハウジング１０には、アウターハウジング５０と対向するインナーハウジング１０の前端周縁に前方に向けて延びる周囲壁１２が設けられており、この周囲壁１２の内部がワイヤシール３０を収容するシール収容凹部１３を構成する。
なお、防水コネクタ１において、コンタクトが挿入される側（図１の上側）を前とする。
【００１５】
＜ワイヤシール３０＞
ワイヤシール３０は、一括型の防水部材であり、略板状に形成されてインナーハウジング１０シール収容凹部１３内に収容されるようになっている。ワイヤシール３０は、通常、エラストマ（Elastic Polymer）により作製されるが、防水機能を発揮できる材料であれば制限はない。
ワイヤシール３０の外周形状、寸法は周囲壁１２の内周面と密着するように作製されるとともに、ワイヤシール３０の外周面には、インナーハウジング１０の周囲壁１２の内周面との密着性を向上するための複数の突条３２ａ、３２ｂ、３２ｃが設けられている。
【００１６】
ワイヤシール３０には、コンタクト収容キャビティ１１ａに対応する位置に複数のコンタクト挿入孔３１ａが形成され、コンタクト収容キャビティ１１ｂに対応する位置に複数のコンタクト挿入孔３１ｂが形成されている。コンタクト収容キャビティ１１ａに収容された電力用コンタクトに接続された電線は、コンタクト挿入孔３１ａを通って後方に導出される。また、コンタクト収容キャビティ１１ｂに収容された信号用コンタクトに接続された電線は、コンタクト挿入孔３１ｂを通って後方に導出される。
図４に示すように、各コンタクト挿入孔３１ａ（３１ｂ）の内周には複数の突条３３ａ、３３ｂ、３３ｃが設けられ、これら突条３３ａ、３３ｂ、３３ｃが電線Ｗの外周面に密着している。このため、各コンタクト挿入孔３１ａ（３１ｂ）からインナーハウジング１０の内部への浸水を阻止することができる。電力用コンタクトに接続される電線Ｗの直径は、信号用コンタクトに接続される電線Ｗの直径よりも太く、その直径は約１．０ｍｍ程度である。これに対して信号用コンタクトに接続される電線Ｗの直径は、約０．５ｍｍ程度である。電線の直径とは、被覆の外径を意味する。コンタクト挿入孔３１ａ、３１ｂの開口径、突条３３ａ、３３ｂ、３３ｃの突出量は、これら電線の直径を考慮して適宜定められる。ただし、この電線Ｗの径はあくまで一例である。
【００１７】
ワイヤシール３０には、コンタクト収容キャビティ１１ａに対応する位置に複数のコンタクト挿入孔３１ａが形成され、コンタクト収容キャビティ１１ｂに対応する位置に複数のコンタクト挿入孔３１ｂが形成されている、と述べたが、本実施の形態によるワイヤシール３０は、コンタクト収容キャビティ１１ａに対応する位置であっても、コンタクト挿入孔３１ａが形成されておらず、閉塞されている領域Ａがあり、また、コンタクト収容キャビティ１１ｂに対応する位置であっても、コンタクト挿入孔３１ｂが形成されておらず、閉塞されている領域Ｂがある。領域Ａ，Ｂについて、後述する。
【００１８】
＜アウターハウジング５０＞
アウターハウジング５０は、インナーハウジング１０の後側にインナーハウジング１０を覆うように装着されてワイヤシール３０の抜け止めを行う。
アウターハウジング５０には、コンタクト収容キャビティ１１ａに対応する位置に複数のコンタクト挿入孔５１ａが設けられている。また、アウターハウジング５０には、コンタクト収容キャビティ１１ｂに対応する位置に複数のコンタクト挿入孔５１ｂが設けられている。電力用コンタクトに接続される電線Ｗはコンタクト挿入孔５１ａを通って後方に導出され、また、信号用コンタクトに接続される電線Ｗはコンタクト挿入孔５１ｂを通って後方に導出される。
【００１９】
以上のように構成された防水コネクタ１において、コンタクト収容キャビティ１１ａ、１１ｂのうち電力用コンタクトあるいは信号用コンタクトが収容されない空きキャビティ（空き部屋）を残す場合がある。空き部屋に対応するワイヤシール３０のコンタクト挿入孔１１ａ，１１ｂは、従来は、ダミー栓が漏れなく挿入して防水されていた。これに対して本実施の形態によるワイヤシール３０は、空き部屋に対応する位置が、コンタクト挿入孔３１ａ，３１ｂを設けることなく、閉塞されている。したがって、ダミー栓を挿入する負担が軽減される。
【００２０】
つまり、ワイヤシール３０は、コンタクト収容キャビティ１１ａに対応する位置であっても閉塞されている領域Ａがあり、また、コンタクト収容キャビティ１１ｂに対応する位置であっても閉塞されている領域Ｂがある。
この閉塞されている領域Ａ，Ｂと、コンタクト収容キャビティ１１ａ，１１ｂとの関係を、図５、図６を参照して説明する。
【００２１】
＜ケース１＞
インナーハウジング１０を模式的に示す図５（ａ）において、白抜きの円は電力用又は信号用のコンタクトが挿入される、つまり部屋が使用されるコンタクト収容キャビティ１１ａ，１１ｂを示す。また、網掛けされる円は電力用又は信号用のコンタクトが挿入されない、つまり空き部屋となるコンタクト収容キャビティ１１ａ，１１ｂを示している。
図５（ｂ）は、図５（ａ）のインナーハウジング１０に装着されるワイヤシール３０を模式的に示している。このワイヤシール３０において、白抜きの実線で示される円はコンタクト挿入孔３１ａ，３１ｂが形成されていることを示す。また、点線の円は、対応すべきコンタクト収容キャビティ１１ａ，１１ｂが存在しているにもかかわらず、コンタクト挿入孔３１ａ，３１ｂが形成されずに閉塞されていることを示している。
以上のケース１は、空き部屋となるコンタクト収容キャビティ１１ａ，１１ｂと、閉塞される領域が一対一で対応している。したがって、このケース１では、ワイヤシール３０のコンタクト挿入孔３１ａ，３１ｂには漏れなく電線Ｗが挿入されるので、ダミー栓でコンタクト挿入孔３１ａ，３１ｂを塞ぐ必要がない。
【００２２】
＜ケース２＞
図６（ａ）において、部屋が使用されるコンタクト収容キャビティ１１ａ，１１ｂが白抜きの円で示され、空き部屋となるコンタクト収容キャビティ１１ａ，１１ｂが網掛けされる円で示されることは図５（ａ）と同様である。ただし、領域Ａ，Ｂに加え、領域Ｃ（図（ｂ））を占めるコンタクト収容キャビティ１１ａも空き部屋になる点で図５（ａ）と相違する。
しかし、ワイヤシール３０は、図６（ｂ）に示すように、インナーハウジング１０の領域Ｃ、つまり空き部屋となるコンタクト収容キャビティ１１ａ，１１ｂに対応する位置にコンタクト挿入孔３１ａ，３１ｂが形成されている。したがって、図６（ｃ）に示すように、領域Ｃを占めるコンタクト挿入孔３１ａ，３１ｂはダミー栓で塞がれる。
このようにケース２では、領域Ｃについてはダミー栓でコンタクト挿入孔３１ａ，３１ｂを塞ぐ作業が必要であるが、領域Ａ，Ｂについてはダミー栓で塞ぐ必要がないので、空き部屋に対応する全てのコンタクト挿入孔３１ａ，３１ｂをダミー栓で塞いでいた従来に比べて作業負担は著しく軽減される。
【００２３】
ダミー栓挿入作業の負担をなくすためには、ケース１、つまりに示したように、空き部屋となるコンタクト収容キャビティ１１ａ，１１ｂと、閉塞される領域が一対一で対応していることが最も好ましい。しかし、これでは空き部屋となるコンタクト収容キャビティの数、位置が異なるのに応じて閉塞される領域の異なるワイヤシール３０を用意する必要がある。したがって、ワイヤシール３０に閉塞領域を設ける手段はコスト的に優位であるといえ、多数種類のワイヤシール３０を用意することが許されないこともある。したがって、ケース２のように、ダミー栓でコンタクト挿入孔３１ａ，３１ｂを塞ぐ作業を伴うことが、トータルのコストを考慮すると有利な場合もある。
【００２４】
現実に製造される防水コネクタは空き部屋のない場合もあるので、コンタクト挿入孔３１ａ，３１ｂの形成状態の異なる２種類のワイヤシール３０を用意する。一方は、図７（ａ）に示すように、コンタクト収容キャビティ１１ａ，１１ｂに対応する位置の全てにコンタクト挿入孔３１ａ，３１ｂが形成されているワイヤシール３０である。他方は、図７（ｂ）に示すように、コンタクト収容キャビティ１１ａ，１１ｂに対応する位置（領域Ａ，Ｂ）が閉塞されているワイヤシール３０である。この２種類のワイヤシール３０を用意しておき、空き部屋の有無に応じて、いずれかのワイヤシール３０を選択する。
この２種類のワイヤシール３０は、異なる色で製造されることが好ましい。例えば、一方が明度の高い色（明色）、他方が明度の低い色（暗色）とすれば、作業者が間違えてワイヤシール３０をインナーハウジング１０に装着するのを防ぐことができる。明色としては例えば白色系色等があり、暗色としては黒色系色等がある。もちろん、２種類のワイヤシール３０の区別が明らかであれば、明色と暗色に限るものではない。
【００２５】
防水コネクタ１の仕様が定まれば、空き部屋となるコンタクト収容キャビティ１１ａ，１１ｂが明らかとなる。したがって、防水コネクタ１の仕様情報に基づいてコンタクト収容キャビティ１１ａ，１１ｂに対応するが、コンタクト挿入孔３１ａ，３１ｂを形成することなく閉塞すべきワイヤシール３０の位置（領域Ａ，Ｂ）を判別する。この判別結果に基づいて、コンタクト挿入孔３１ａ，３１ｂが形成される一方、領域Ａ，Ｂが閉塞されるワイヤシール３０を製造する。もちろん、コンタクト収容キャビティ１１ａ，１１ｂに対応する位置の全てにコンタクト挿入孔３１ａ，３１ｂが形成されるワイヤシール３０をも製造する。ただし、２種類に限らず、図７（ｃ）に示すように、領域Ｃを閉塞したワイヤシール３０を用意することもできる。
【００２６】
本発明者等の知見によると、空き部屋となるコンタクト収容キャビティ１１ａ，１１ｂは分散していることは稀である。したがって、図７（ｂ）に示すように、コンタクト挿入孔３１ａ，３１ｂが形成される領域ａ，ｂ，ｃ，ｄ，ｅと、閉塞されている領域Ａ，Ｂとを、区画して設けることができる。
【００２７】
なお、上記実施の形態で示した領域Ａ〜Ｃはあくまで例示であり、本発明における閉塞領域がこれに限定されることはない。また、インナーハウジング１０、アウターハウジング５０の形態もあくまで例示であり、ワイヤシールが装着されるいかなる形態の防水コネクタにも本発明のワイヤシールを適用できることは言うまでもない。
これ以外にも、本発明の主旨を逸脱しない限り、上記実施の形態で挙げた構成を取捨選択したり、他の構成に適宜変更することが可能である。
【符号の説明】
【００２８】
１…防水コネクタ
１０…インナーハウジング
１１ａ，１１ｂ…コンタクト収容キャビティ、１３…シール収容凹部
３０…ワイヤシール
３１ａ，３１ｂ…コンタクト挿入孔
５０…アウターハウジング
５１ａ，５１ｂ…コンタクト挿入孔
【図１】
2011129391.tif 000003
【図２】
2011129391.tif 000004
【図３】
2011129391.tif 000005
【図４】
2011129391.tif 000006
【図５】
2011129391.tif 000007
【図６】
2011129391.tif 000008
【図７】
2011129391.tif 000009
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
コンタクトが収容される複数のキャビティが形成されるとともに、インナーハウジングとアウターハウジングを有するコネクタハウジングの前記インナーハウジングと前記アウターハウジングの間に装着され、
前記キャビティに対応する位置に形成される複数のコンタクト挿入孔を貫通して前記キャビティ内に前記コンタクトが挿入されると、前記コンタクトに接続される電線が前記コンタクト挿入孔の内周縁に密着されることでシールするワイヤシールであって、
前記コンタクトが挿入されずに空き部屋となる前記キャビティの全部又は一部に対応する位置が前記コンタクト挿入孔が形成されることなく閉塞されていることを特徴とするワイヤシール。
【請求項２】
コンタクトが収容される複数のキャビティが形成されるとともに、インナーハウジングとアウターハウジングを有するコネクタハウジングの前記インナーハウジングと前記アウターハウジングの間に装着され、
前記キャビティに対応する位置に形成される複数のコンタクト挿入孔を貫通して前記キャビティ内に前記コンタクトが挿入されると、前記コンタクトに接続された電線が前記コンタクト挿入孔の内周縁に密着されることでシールするワイヤシールの製造方法であって、
前記コンタクトが挿入される前記キャビティの情報及び前記コンタクトが挿入されずに空き部屋となる前記キャビティの情報に基づいて、前記キャビティに対応してコンタクト挿入孔を形成する孔形成位置と、前記キャビティに対応するが前記コンタクト挿入孔が形成されることなく閉塞される閉塞位置とを判別する工程（ａ）と、
前記判別の結果に基づいて、前記閉塞位置に前記コンタクト挿入孔を形成することなく、前記孔形成位置には前記コンタクト挿入孔を形成する工程（ｂ）と、
を備えることを特徴とするワイヤシールの製造方法。
【請求項３】
コンタクトが収容される複数のキャビティが形成されるとともに、インナーハウジングとアウターハウジングを有するコネクタハウジングと、
前記各キャビティに対応する位置に形成される複数のコンタクト挿入孔を貫通して前記キャビティ内に前記コンタクトが挿入されると、前記コンタクトに接続された電線が前記コンタクト挿入孔の内周縁に密着されることでシールするワイヤシールと、を備え、
前記ワイヤシールは、
前記インナーハウジングと前記アウターハウジングの間に装着され、
前記コンタクトが挿入されずに空き部屋となる前記キャビティの全部又は一部に対応する位置が前記コンタクト挿入孔が形成されることなく閉塞されていることを特徴とする防水コネクタ。
【請求項４】
前記ワイヤシールは、
前記コンタクトが挿入されずに空き部屋となる前記キャビティに対応する位置に前記コンタクト挿入孔が形成され、
当該コンタクト挿入孔がダミー栓で閉塞される請求項３に記載の防水コネクタ。
【請求項５】
複数の前記コンタクト挿入孔が形成される領域と、複数の前記キャビティに対応して閉塞されている領域とが、区画されている請求項３又は４に記載の防水コネクタ。
【手続補正２】
【補正対象書類名】明細書
【補正対象項目名】０００６
【補正方法】変更
【補正の内容】
【０００６】
従来のダミー一体型カバーは、つまりコネクタハウジング側にダミー栓を設けることで、ワイヤシールにダミー栓を挿入する作業負担を軽減することを志向していた。これに対して本発明者等は発想を転換した。つまり、コネクタハウジングの全てのキャビティに対応してワイヤシールにコンタクト挿入孔を設けていたのに対し、空き部屋となるキャビティに対応する位置を閉塞することを着想するに至った。
この着想に基づく本発明のワイヤシールは、コンタクトが収容される複数のキャビティが形成されるとともに、インナーハウジングとアウターハウジングを有するコネクタハウジングのインナーハウジングとアウターハウジングの間に装着され、キャビティに対応する位置に形成されるコンタクト挿入孔を貫通してキャビティ内にコンタクトが挿入されると、コンタクトに接続される電線がコンタクト挿入孔の内周縁に密着されることでシールするワイヤシールであって、コンタクトが挿入されずに空き部屋となるキャビティの全部又は一部に対応する位置がコンタクト挿入孔が形成されることなく閉塞されていることを特徴とする。
【手続補正３】
【補正対象書類名】明細書
【補正対象項目名】０００８
【補正方法】変更
【補正の内容】
【０００８】
本発明は、コンタクトが収容される複数のキャビティが形成されるとともに、インナーハウジングとアウターハウジングを有するコネクタハウジングと、キャビティに対応する位置に形成される複数のコンタクト挿入孔を貫通してキャビティ内にコンタクトが挿入されると、コンタクトに接続された電線がコンタクト挿入孔の内周縁に密着されることでシールするワイヤシールと、を備え、ワイヤシールは、インナーハウジングとアウターハウジングの間に装着され、コンタクトが挿入されずに空き部屋となるキャビティの全部又は一部に対応する位置がコンタクト挿入孔が形成されることなく閉塞されている防水コネクタをも提供する。